(57)【要約】【課題】避難タワーの鋼管柱に着目し、避難タワーの構造が適切に活用され安価に設置できる、新たな物品収納構造を備えた避難タワーを提供する【解決手段】避難タワーは鋼管柱７と梁とで構築される鉄骨骨組みを有し最上階に避難者用の避難ステージ２を有する。避難タワーの鋼管柱７に、物品収納空間とされる当該鋼管柱７の内部空間に対して物品を収納又は取り出すための開口部７ｂと、前記開口部を開閉する開閉部材１６とを設け、かつ、平時において降雨により鋼管柱の内部空間に浸水することのないように柱頭部を覆う。鋼管柱の内部が物品収納空間として利用されるので、そして、高く構築される避難タワーの鋼管柱７は長く、その長い鋼管柱内の閉鎖空間を有効に活用できるので、大量の物品を収納することができる。新たに物品を収めるための閉鎖空間を構築する必要がないので、収納部を設置するコストが極めて安価に済む。【選択図】図４
2013256772.tif 000002
【特許請求の範囲】
【請求項１】
間隔をあけて立設した３本以上の鋼管柱と、前記鋼管柱間に架け渡された梁と、最上階の梁に設けられた避難者用の避難ステージとを有し、
物品収納空間を有する前記鋼管柱に、当該鋼管柱の内部空間に対して物品を収納又は取り出すための開口部と、前記開口部を開閉する開閉部材とを設け、かつ、平時において降雨により鋼管柱の内部空間に浸水することのないように柱頭部が覆われた状態とした物品収納構造を有することを特徴とする避難タワー。
【請求項２】
前記開口部は、前記避難ステージよりも上方に設けられていることを特徴とする請求項１記載の避難タワー。
【請求項３】
前記鋼管柱に、物品を連結可能な索状体が鋼管柱内に垂れ下がり可能に設けられており、前記開口部は前記索状体に連結された物品を出し入れ可能に設けられていることを特徴とする請求項１記載の避難タワー。
【請求項４】
前記鋼管柱に、前記索状体の巻き上げ・巻き戻しが可能な回転ドラムが設けられていることを特徴とする請求項３記載の避難タワー。
【請求項５】
前記回転ドラムは、鋼管柱内部に取り付けられており、未使用時には鋼管柱に取り付けられる閉塞部材により鋼管柱内部に閉塞されることを特徴とする請求項４記載の避難タワー。
【請求項６】
前記索状体は、その長手方向の複数箇所に、それぞれ物品を連結及び連結解除可能な連結枝部を有することを特徴とする請求項３〜５のいずれか１項に記載の避難タワー。
【請求項７】
前記物品収納空間には、鋼管柱の内部に合わせた大きさの物品収納容器が設けられ、前記物品収納容器は、鋼管柱の上端壁部に引っ掛け可能な引っ掛け部を有して、前記引っ掛け部を上端壁部に引っ掛けることで前記物品収納容器を鋼管柱の上端から鋼管柱内部に吊り下げた状態で収納可能にしたことを特徴とする請求項１記載の避難タワー。
【発明の詳細な説明】
【技術分野】
【０００１】
本発明は、津波により陸地に水が押し寄せた際に、地域住民が溺れて命を失うことのないように、津波想定高さより高く建設された避難タワーに関し、特に、避難タワーに避難した人が被災時に必要とする防災用品を収納することができる物品収納構造を備えた避難タワーに関する。
【背景技術】
【０００２】
津波に襲われた時、地域住民が津波の届かない高台まで避難する余裕のない状況である場合が十分考えられる。そのように事態に備えて、津波想定高さより上に避難ステージが位置する避難タワーがその地域に建設されていれば、そこに避難することで命を失うことを避けることができる。その場合、避難タワーに避難した人が被災時に必要とする、食料品や医療品、毛布などの防災用品を収納することができる物品収納庫を備えていると、避難者が救助されるまでの間の心身の苦痛を少しでも緩和できる。
【０００３】
特許文献１には、そのような防災用品収納用の収納部を避難タワーの避難ステージの底部に設けることが記載されている。すなわち、避難タワーに設けられた避難ステージ８０３の底部に、収納部８０７が設けられ、同収納部８０７は、避難路面板を開けることで内部の収納物、例えば、非常用の食料品や用具、通信器具などを取り出すことができる、旨の記載がある（特許文献１の[００３６]、図１５）。
また、収納部８２１の上蓋８２２を開けることで収納物を取り出すことができる、旨の記載がある（特許文献１の [００３７]、図１６参照）。
【先行技術文献】
【特許文献】
【０００４】
【特許文献１】特開２００５−２６４７２１
【発明の概要】
【発明が解決しようとする課題】
【０００５】
上記先行文献１のように、避難ステージの床下に収納部を設けた構造は、防災用品を収納する倉庫を床上に載置した場合と比較して、避難ステージ上面の面積を広く利用することができ、避難ステージに多くの人が避難することができる。
【０００６】
津波襲来の際、避難タワー上部の避難ステージで難を逃れたとしても、地上部分は津波の襲来による押し波と、増水した水が海へ戻る引き波で大きな被害を受けており、津波が去った後であっても地上で食料や寝具などを調達することは困難な状況になる。また、道路も寸断されるなど救援物資の到着まで長い時間が掛かることがある。したがって、少しでも多くの防災用品を備蓄しておけることが望ましい。特許文献１のような床下の収納部があっても、さらに他の収納部があれば、より多くの防災用品を収納できる。
【０００７】
また、避難タワー自体の構造には種々のものがあり、特許文献１のような床下収納構造に限らず、種々の避難タワーの構造に適した多様な収納部構造が望まれる。
津波を想定した避難タワーの構造は、一般的な建築物とは異なる事情があり、例えば、避難ステージとなる最上階より下の階には、津波が押し寄せてくる想定であり、極力安価に建築できることが望まれるから、通常は床を設けない。したがって、収納部は最上階の避難ステージの部分以外に設置されない。
【０００８】
本発明は上記背景のもとになされたもので、種々の避難タワーの構造に適した多様な収納部構造を得るという観点から、最上階の床上収納庫や床下収納部ではなく、避難タワーの鋼管柱に着目し、避難タワーの構造が適切に活用され安価に設置できる、新たな物品収納構造を備えた避難タワーを提供するを目的とする。
【課題を解決するための手段】
【０００９】
上記課題を解決する請求項１の発明は、間隔をあけて立設した３本以上の鋼管柱と、前記鋼管柱間に架け渡された梁と、最上階の梁に設けられた避難者用の避難ステージとを有し、
物品収納空間を有する前記鋼管柱に、当該鋼管柱の内部空間に対して物品を収納又は取り出すための開口部と、前記開口部を開閉する開閉部材とを設け、かつ、平時において降雨により鋼管柱の内部空間に浸水することのないように柱頭部が覆われた状態とした物品収納構造を有することを特徴とする。
【００１０】
請求項２は、請求項１の避難タワーにおいて、前記開口部は、前記避難ステージよりも上方に設けられていることを特徴とする。
【００１１】
請求項３は、請求項１の避難タワーにおいて、前記鋼管柱に、物品を連結可能な索状体が鋼管柱内に垂れ下がり可能に設けられており、前記開口部は前記索状体に連結された物品を出し入れ可能に設けられていることを特徴とする。
【００１２】
請求項４は、請求項３の避難タワーにおいて、前記鋼管柱に、前記索状体の巻き上げ・巻き戻しが可能な回転ドラムが設けられていることを特徴とする。
【００１３】
請求項５は、請求項４の避難タワーにおいて、前記回転ドラムは、鋼管柱内部に取り付けられており、未使用時には鋼管柱に取り付けられる閉塞部材により鋼管柱内部に閉塞されることを特徴とする。
【００１４】
請求項６は、請求項３〜５のいずれか１項の避難タワーおいて、前記索状体は、その長手方向の複数箇所に、それぞれ物品を連結及び連結解除可能な連結枝部を有することを特徴とする。
【００１５】
請求項７は、請求項１の避難タワーにおいて、前記物品収納空間には、鋼管柱の内部に合わせた大きさの物品収納容器が設けられ、前記物品収納容器は、鋼管柱の上端壁部に引っ掛け可能な引っ掛け部を有して、前記引っ掛け部を上端壁部に引っ掛けることで前記物品収納容器を鋼管柱の上端から鋼管柱内部に吊り下げた状態で収納可能にしたことを特徴とする。
【発明の効果】
【００１６】
本発明によれば、避難タワーの鋼管柱の内部が物品収納空間として利用されるので、そして、高く構築される避難タワーの鋼管柱は長く、その長い鋼管柱内の閉鎖空間を有効に活用できるので、大量の物品を収納することができる。
また、新たに物品を収めるための閉鎖空間を構築する必要がないので、収納部を設置するコストが極めて安価に済む。
また、物品収納空間が鋼管内部なので頑強に保護されており、物品を災害による破損から確実に保護できる。
【００１７】
避難ステージとなる最上階より下層階には、津波が押し寄せてくる想定であり、通常であれば収納部として利用されないところであるが、鋼管内で津波の影響がないので、最上階より下層の部分も収納部として利用可能となっている。したがって、従来の最上階の床上収納庫や床下収納部を設置したとすれば、さらに多くの物品の収納が可能となる
【００１８】
請求項２によれば、鋼管柱に開口部を設けたことによる断面欠損があっても、開口部の位置が避難ステージより上方にあるから、津波による外力の作用を考慮せずに済み、開口部を補強する必要は特にない。
【００１９】
請求項３によれば、鋼管柱に、物品を連結可能な索状体が鋼管柱内に垂れ下がり可能に設けられているので、縦方向に長い閉鎖空間の下方に物品を収納しても、上方から物品を引き出すことができる。
【００２０】
請求項４によれば、鋼管柱に索状体の巻き上げ・巻き戻しが可能な回転ドラムが設けられているので、回転ドラムを回転させて物品の揚げ降ろしを行なうことができるが、多数の物品を縦方向に多数連結して重量が大となっても、人力で無理なく揚げ降ろしを行なうことができる。
【００２１】
請求項５によれば、回転ドラムが鋼管内部にあり、閉塞部材により閉塞されるので、頑強に保護され、津波による破損を確実に防止できる。また、平時に風雨に曝されるのを避けることができ、またいたずら対策になる。
【００２２】
請求項６によれば、索状体の長手方向の複数箇所に、それぞれ物品を連結及び連結解除可能な連結枝部を有するので、各連結枝部にそれぞれ物品を連結することで、大量の物品を鋼管柱内部に収納し、取り出すことができる。
【００２３】
請求項７によれば、吊下げ部に設けた引っ掛け部を鋼管柱の上端壁部に引っ掛けるだけで、物品収納容器を鋼管柱の上端から吊り下げた状態で収納可能なので、若干の飲料水や乾パン等の非常食等を収納するほか、緊急時に必要となる工具類を極めて簡単に収納、取り出しすることができる。
【図面の簡単な説明】
【００２４】
【図１】本発明の一実施例の避難タワーの本体構造を示す立面図であり、（イ）は正面図（図２のＰ矢視図）、（ロ）は左側面図（図２のＱ矢視図）である。
【図２】図１の避難タワーの本体構造を示す概略平面図であり、周囲のフェンス等を略した概ね最上階床の平面図である。
【図３】図１の避難タワーの鋼管柱に設けた一実施例の物品収納構造の使用状態を示すもので、鋼管柱の上端部近傍の断面図であり、物品収納バッグを併せて図示している。
【図４】図３の物品収納構造について、平時に物品が収納された状態を示した図である。
【図５】図４の上部を手動ウインチを除いて示した図である。
【図６】（イ）は図５の平面図、（ロ）は（イ）においてカバーを外した状態で示した図である。
【図７】図３における手動ウインチ部分の平面図である。
【図８】図３における手動ウインチ部分の右側面図である。
【図９】上記の物品収納構造において、鋼管柱内に索状体の連結枝部に連結して収納した複数の物品収納バッグを取り出す要領を説明する図である。
【図１０】本発明のさらに他の実施例を示すもので、鋼管柱の頭部近傍のみを物品収納空間とした物品収納構造を示す一部切欠き正面図である。
【図１１】（イ）は図１０の平面図、（ロ）は（イ）においてカバーを外した状態で示した図である。
【図１２】本発明のさらに他の実施例を示すもので、避難ステージ２より下方の鋼管柱の内部を物品収納空間とした物品収納構造を示す図であり、（イ）は正面図、（ロ）は左側面図、（ハ）は扉部分の構造を示す平面図、（ニ）は庇部分を示す平面図である。
【図１３】（イ）は図１５における開口部の補強構造を説明する図、（ロ）は開口部形状を長円状とした場合の補強構造を説明する図である。
【図１４】図１２の物品収納構造の変形例であり、同じく避難ステージ２より下方の鋼管柱の内部を物品収納空間とする場合であるが、開口部を鋼管柱の２面亘って設けた物品収納構造を示す図であり、（イ）は正面図、（ロ）は左側面図、（ハ）は扉部分の構造を示す平面図、（ニ）は庇部分を示す平面図である。
【図１５】本発明のさらに他の実施例を示すもので、避難ステージ２より下方の鋼管柱の内部に索状体巻取り機構を構成した物品収納構造の実施例を示す図である。
【図１６】図１５の平面図である。
【図１７】図１６の右側面図である。
【図１８】本発明のさらに他の実施例を示すもので、吊り下げ部付き物品収納容器の斜視図である。
【図１９】図１８の吊り下げ部付き物品収納容器を鋼管柱内に吊り下げ可能にして構成する物品収納構造を示す図である。
【発明を実施するための形態】
【００２５】
以下、本発明の避難タワーを実施するための形態について、図面を参照して説明する。
【実施例１】
【００２６】
図１は本発明の一実施例の避難タワー１を示す立面図であり、（イ）は正面図（図２のＰ矢視図）、（ロ）は左側面図（図２のＱ矢視図）、図２は図１の避難タワーの本体構造を示す概略平面図であり、周囲のフェンス等を略した概ね最上階床の平面図である。
【００２７】
この避難タワー１は、図２において四隅の柱７と左右辺の中央の柱７とのいずれも角形鋼管からなる６本の柱７と、柱間に架け渡されたＨ鋼の梁（最上階の梁５及び下層の梁６）とからなる鉄骨骨組み８を有する。最上階床が津波に襲われた時に地域住民が避難するための避難ステージ２とされている。
地上と避難ステージ２との間を昇降する階段１１が設けられ、階段１１には手摺１２が設けられている。避難ステージ２の周囲にフェンス１３が設置されている。１４は柱７の基礎を示す。図示例の避難タワー１の上面から見たサイズは梁芯で７.２ｍ×７.２ｍの正方形である。高さは津波想定高さに対応させるが、図示例では例えば１３ｍ程度である。
柱７は図示例では３００×３００×９ｍｍの角形鋼管を用い、一部の柱梁接合部に柱梁接合用角形鋼管７ａを用いている。梁５、６として図示例ではサイズが、Ｈ３００×１５０×６．５×９ｍｍ及びＨ３５０×１７５×７×１１ｍｍの２種類のＨ形鋼を用いている。最上階の梁５について、５Ａで示す梁は成が小のＨ３００×１５０×６．５×９ｍｍのもの、５Ｂで示す梁は成が大のＨ３５０×１７５×７×１１ｍｍのものである。
【００２８】
本発明では、この避難タワー１の鋼管柱７に、その内部空間を物品収納空間として利用する物品収納構造１０を設ける。
図３は図１の避難タワー１の鋼管柱７に設けた一実施例の物品収納構造１０（１０Ａ）の使用状態を示すもので、鋼管柱の上端部近傍の断面図であり、物品収納バッグ３を併せて図示している。図示例では、食料品や医療品、毛布などの防災用品等の物品を筒状の物品収納バッグ３に入れて鋼管柱７内の収納する。
図４は図３の物品収納構造１０Ａを使用しない状態で示した図である。図５は図４の上部を詳細は後述する手動ウインチ４を除いて示した図、図６（イ）は図５の平面図、（ロ）は（イ）においてカバー１７を外した状態で示した図である。
この避難タワー１は、前記鋼管柱７に、物品収納空間とされる当該鋼管柱の内部空間に対して物品を収納又は取り出すための開口部７ｂと、前記開口部７ｂを開閉する開閉部材、例えば扉１６とを設け、かつ、平時において降雨により鋼管柱の内部空間に浸水することのないように柱頭部が覆われた状態とした物品収納構造１０Ａを備えている。
前記カバー１７は、平時において降雨により鋼管柱の内部空間に浸水することのないように柱頭部が覆われた状態とするものである。
なお、開口部７ｂを設ける鋼管柱７の面は、避難タワー１における内向きの面が好都合であるが、外向きの面でなければよい。
【００２９】
この実施例では、鋼管柱７に設ける開口部７ｂを前記避難ステージ２よりも上方に設けている。
また、鋼管柱７に、物品を連結可能な鋼製ロープや樹脂製ロープ等の索状体１８が鋼管柱内に垂れ下がり可能に設けられており、前記開口部７ｂは前記索状体１８に連結された物品を出し入れ可能に設けられている。
前記索状体１８には、その長手方向の複数箇所に、それぞれ物品を連結及び連結解除可能な連結枝部１９が設けられている。
前記連結枝部１９は、例えば、短い索状体１９ａの一端側に形成したリング部１９ｂにカラビナ１９ｃを取り付け、他端部をクランプ部材１９ｄで前記索状体１８に添わせ固定したものであり、カラビナ１９ｃを物品収納バッグ３の取っ手３ａを引っ掛けて物品収納バッグ３を吊り下げる。
【００３０】
この実施例では、前記索状体１８の巻上げ・巻き戻しが行なわれる回転ドラム２１を有する前述の手動ウインチ４が鋼管柱７の頂部近傍に設けられている。鋼管柱７の上端より若干下方位置の鋼管内面にダイヤフラム構造のウインチ台２３が設けられ、このウインチ台２３に前記手動ウインチ４が設置されている。
ウインチ台２３は、角形鋼管である鋼管内面の４面にそれぞれ溶接固定した細長い受板２３ａに略四角形の台板２３ｂを溶接固定してなり、台板２３ｂには手動ウインチ４の索状体１８が通る穴２３ｃをあけている。台板２３ｂの角部は角形鋼管内面のコーナーに接しないように切り欠いている。
【００３１】
前記カバー１７は、角形鋼管である鋼管柱７の上端部を囲む一回り大きな角形断面で、雨水が直ちに流出するように傾斜した天板１７ａを有する。このカバー１７は、四方の側面部１７ｂにおいて、鋼管柱７の管壁に設けたネジ穴、若しくは貫通穴内面又は外面に溶接固定したナットに螺合するボルト２５で鋼管柱７に固定される。ボルト２５の頭部には貫通孔２５ａがあけられ、この貫通孔２５ａに通した回し棒２６でボルト２５を回すことができる。
また、前記ボルト２５とは別に、カバー１７がいたずらで取り去られないように、カバー１７と鋼管柱７外面との間に、錠前を取り付けるロック機構２７を設けている。その鍵は例えば地区住民の主だった複数人に鍵を預けておく等するとよい。
【００３２】
前記手動ウインチ４は、図３、図７、図８に示すように、前記回転ドラム２１の軸（ドラム軸）２８を支持するフレーム２９、簡略化して示したギヤ機構部３０、ハンドル３１などを備えている。前記ハンドル３１はハンドル取付部３２に着脱可能に取り付けられ、簡略化して示したギヤ機構部３０を介してドラム軸２８を回転駆動できる。索状体１８は回転ドラム２１の左右両側の鍔２１ａ間においてドラム外周に巻き取られる。側枠部２９ａと底板部２９ｂとでコ字形をなすフレーム２９の前記底板部２９ｂに索状体１８が通る穴２９ｃがあけられている。ウインチ台２３の上面には、手動ウインチ４の不使用時に取り外したハンドル３１を収納するためのハンドル装着部３３を設けている。
図示の手動ウインチ４は簡略化して示したもので、例えば前記ギヤ機構部３０は、実際には例えば、ハンドル３１の軸に固定したピニオンにドラム軸２８に固定したドラムギヤが噛み合うギヤ配列等とし、ギヤカバーを被せた構造となり、また、ストッパその他の機構を備えるが、一般的な手動ウインチを採用できるので、詳細説明は省略する。
【００３３】
鋼管柱７の内部に対して物品の出し入れをする要領を説明する。
物品の出し入れをしない不使用時には、物品収納構造を備えた鋼管柱７の上端部は図４、図５に示すように、カバー１７を被せておく。カバー１７はロック機構２７で取り外せないようにロックされているので、いたずらで取り外されるのを防止できる。
物品の出し入れをする使用時には、カバー１７の四面のボルト２５を、回し棒２６で回して鋼管柱７の壁部から外し、ロック機構２７のロックを鍵で解除して、カバー１７を取り外す。
ウインチ台２３上に載せて収納しているハンドル３１を取り出し、手動ウインチ４のハンドル取付部３２に取り付ける。
【００３４】
この実施例では前述の通り、食料品や医療品、毛布などの防災用品等の物品を筒状の物品収納バッグ３に入れて鋼管柱内に収納する。物品の出し入れをする開口部７ｂが避難ステージ２より上に設けられているので、避難ステージ２上で物品出し入れ作業を行う。
既に鋼管柱７内に収納されている物品を取り出す場合として、その取り出し要領を説明すると、まず、扉（開閉部材）１６を図３で２点鎖線で示すように開く。
図９（イ）は、複数の物品収納バッグ３が索状体１８の複数箇所の連結枝部１９にそれぞれ取り付けられて鋼管柱７内に収納されている状態を模式的に示す。
ハンドル３１を回して索状体１８を巻き上げ、図９（ロ）に示すように、最上部の物品収納バッグ３を扉１６の位置に上昇させ、開口部７ｂから取り出す。次いで、さらにハンドル３１を回して索状体１８を巻き上げ、図９（ハ）に示すように２番目の物品収納バッグ３を扉１６の位置に上昇させ、開口部７ｂから取り出す。
以上の作業を繰り返して鋼管柱７内の複数の物品収納バッグ３を順次取り出すことができる。
【００３５】
鋼管柱７内に複数の物品収納バッグ３を収納する要領は、概ね前記作業と逆の作業となる。
複数の空の連結枝部１９を連結している索状体１８を手動ウインチ４の回転ドラム２１に巻き取って適宜の下方の連結枝部１９を開口部７ｂに位置させ、その先端部分を開口部７ｂから外に出す。連結枝部１９の先端のカラビナ１９ｃを物品収納バッグ３の取っ手３ａに掛け、物品収納バッグ３を鋼管柱７内に入れた後、ハンドル３１を回して下降させ、その上の連結枝部１９を開口部７ｂに位置させ、前記と同様にその先端部分を開口部７ｂから外に出し、物品収納バッグ３を取り付け、鋼管柱７内に入れた後、ハンドル３１を回して下降させる。以下同様の操作で複数の物品収納バッグ３を鋼管柱７内に収納できる。
【００３６】
上記の物品収納構造によれば、避難タワー１の鋼管柱７の内部が物品収納空間として利用されるので、そして、高く構築される避難タワー１の鋼管柱７は長く、その長い鋼管柱７内の閉鎖空間を有効に活用できるので、大量の物品を収納することができる。
また、索状体１８を鋼管柱内に垂れ下げて、その索状体１８に物品収納バッグ３を連結して物品収納バッグ３を出し入れするので、上述の通り、縦方向に長い閉鎖空間の下方に物品を収納しても、上方から物品を引き出すことができる。
また、手動ウインチ４で索状体１８の巻き上げ・巻き戻しを行うので、多数の物品を縦方向に多数連結して重量が大となっても、人力で無理なく揚げ降ろしを行なうことができる。
また、索状体１８の長手方向の複数箇所に連結した連結枝部１９にそれぞれ物品収納バッグ３を連結して収納する構造であるから、さらに大量の物品を鋼管柱内部に収納し、取り出すことができる。
【００３７】
また、新たに物品を収めるための閉鎖空間を構築する必要がないので、収納部を設置するコストが極めて安価に済む。
また、物品収納空間が鋼管内部なので頑強に保護されており、物品を災害による破損から確実に保護できる。
避難ステージ２となる最上階より下層階は、その部分に津波が押し寄せてくる想定であり、通常であれば収納部として利用されないところであるが、鋼管内で津波の影響がないので、最上階より下層の部分も収納部として利用可能となっている。したがって、詳細説明は省略するが、従来の最上階の床上収納庫や床下収納部を設置したとすれば、さらに多くの物品の収納が可能となる。
【００３８】
また、この実施例では手動ウインチ４が鋼管内部にあり、かつカバー１７により閉塞されるので、頑強に保護され、津波による破損を確実に防止できる。また、平時に風雨に曝されるのを避けることができ、またいたずら対策になる。
【００３９】
上記の物品収納構造において、手動ウインチ４を鋼管柱７の外部に設置することも可能である。この場合、外部に設置した手動ウインチの回転ドラムに巻かれた索状体を滑車を介して鋼管柱７内部に導くとよい。
【実施例２】
【００４０】
図１０、図１１に他の実施例を示す。図１０は一部切り欠き正面図、図１１（イ）は図１０の平面図、（ロ）は（イ）においてカバー５７を外した状態で示した図である。
この実施例の物品収納構造１０Ｂは、鋼管柱７の頭部近傍のみを物品収納空間としたもので、鋼管柱７の上端開口７ｃを、鋼管柱７の内部空間に対して物品を収納又は取り出すための開口部とし、柱頭部の近傍における鋼管内面にダイヤフラム構造の収納部底板５３を設けている。収納部底板５３は、穴はないが前述のウインチ台２３と概ね同様なもので、角形鋼管である鋼管内面の４面にそれぞれ溶接固定した細長い受板５３ａに略四角形の台板５３ｂを溶接固定している。５４は収納物を模式的に示している。
降雨により鋼管柱内に浸水しないように柱頭部を覆うカバー５７は、本実施例では、図５、図６で説明した扉１６と同様の役割を有する開閉部材であり、カバー５７を鋼管柱７から外して物品の収納や取り出しが行われる。カバー５７は、図５、図６で説明したカバー１７とは、高さが低いことを除けば基本的には同じで、同じ符号を付して説明すると、傾斜した天板５７ａを有し、四方の側面部５７ｂにおいてボルト２５で鋼管柱７に固定され、ロック機構２７でロックされる。ボルト２５の頭部の貫通孔２５ａに通した回し棒２６でボルト２５を回す。
【実施例３】
【００４１】
図１２、図１３にさらに他の実施例を示す。図１２（イ）は物品収納構造部分の正面図、（ロ）は左側面図、（ハ）は（イ）のＡ−Ａ断面図、（ニ）は庇のみを示したＢ−Ｂ断面図である。
この実施例の物品収納構造１０Ｃは、避難ステージ２より下方の鋼管柱７の途中部分を物品収納空間としたものであるが、鋼管柱７に設ける開口部７ｂ’は、図１に示した避難タワー１の本体構造の場合は下層階に床がないので、階段の踊り場に面して設けるとよい。下層階に床があればその床の高さに合せて設けることができる。
開口部７ｂ’の若干下の位置における鋼管内面にダイヤフラム構造の収納部底板６３を設け、若干上の位置に同じくダイヤフラム構造の収納部天板６４を設けている。収納部底板６３、収納部天板６４は、図１０、図１１の収納部底板５３と概ね同じであり、再度の説明は省略する。
避難ステージ２より下方の鋼管柱７には津波による大きな応力の作用が考えられ、下方部分に開口部を設けると、断面欠損による剛性低下を補剛する必要があり、図１３（イ）にも示すように、矩形の開口部７ｂ’の輪郭に合わせた矩形の補強枠材６５を溶接固定し、この補強枠材６５に扉（開閉部材）６６を取り付けている。扉６６は補強枠材６５にヒンジ６７により回転可能に取り付けられ、反対側は補強枠材６５に固定したロック機構２７でロック可能になっている。このロック機構２７は図１０のロック機構２７と同構造なので、同じ符号を付している。
この実施例では、降雨により収納部空間に浸水しないように開口部７ｂ’の上方に庇６８を設けている。
図１３（ロ）は、開口部を長円形にした場合を示し、長円形の開口部７ｂ２’に合せて補強枠材６５２の内縁を長円形にしている。長円形にした開口部７ｂ２’は矩形の開口部７ｂ’より剛性低下の程度は小さい。
【実施例４】
【００４２】
図１４にさらに他の実施例を示す。図１４（イ）は物品収納構造部分の正面図、（ロ）は右側面図、（ハ）は（イ）のＣ−Ｃ断面図、（ニ）は庇のみを示したＤ−Ｄ断面図である。
この実施例の物品収納構造１０Ｄは、図１２の物品収納構造１０Ｃの変形例であり、同じく避難ステージ２より下方の鋼管柱の内部を物品収納空間とする場合であるが、開口部７ｂを鋼管柱の２面亘って設けている。収納部底板６３、収納部天板６４は図１２のものと同じである。
開口部７ｂが２面に亘っているので、開口部７ｂ”の補強も２面に亘る補強枠材６５’で補強し、２面の開口部７ｂ”を開閉する扉（開閉部材）６６’も上から見てカギ形をなす形状である。上から見てカギ形をなす扉の基端側はヒンジ６７で補強枠材６５’に取り付けられ、開閉する反対側は補強枠材６５’に固定されたロック機構２７でロック可能になっている。
開口部が２面に亘るので、降雨による浸水を防ぐ庇６８’も２面に亘る形状としている。
【実施例５】
【００４３】
図１５〜図１７に物品収納構造のさらに他の実施例を示す。
この物品収納構造１０Ｅは、図１２、図１４の実施例と同様に、物品を出し入れする開口部７ｂ’を避難ステージ２より下方の鋼管柱７の途中部分に設けているが、図３〜図９の実施例の物品収納構造１０Ａと同様に索状体１８で物品を出し入れする方式を採用するとともに、索状体１８の巻き上げ・巻き戻しする索状体巻取り機構４１を、鋼管柱７の内部に直接構成した構造である。
すなわち、回転ドラム４２の軸（ドラム軸４３）を鋼管柱７の対向する両側の内壁に固定した軸受部４４で支持し、ドラム軸４３に固定したドラムギヤ４５と噛み合うピニオン４６の軸（ピニオン軸）４７を鋼管柱７の対向する両側の内壁に固定した軸受部４８で支持し、ピニオン軸４７にハンドル４９を着脱可能に取り付けている。この索状体巻取り機構４１も簡略化して示したもので、実際にはストッパその他の機構を備える。４２ａはドラム４２の鍔を示す。
この物品収納構造１０Ｅにおける開口部７ｂ’は、避難ステージ２より下方の鋼管柱７に設けるので、図１に示した実施例の避難タワー１の本体構造の場合は階段の踊り場に面して設けるのが適切である。しかし、下層階に床があればその床の高さに合せて設ける。
避難ステージ２より下方の鋼管柱７に開口部を設けると、断面欠損による剛性低下を補剛する必要があり、図１２、図１３（イ）の物品収納構造における開口部７ｂ’と同様に、補強枠材６５で開口部７ｂ’を補強し、補強枠材６５に扉（開閉部材）６６を取り付け、また、庇６８を設けている。この開口部７ｂ’、補強部材６５、扉６６の部分は図１２、図１３（イ）のものと概ね同様なので、再度の説明は省略する。
【００４４】
この実施例の物品収納構造１０Ｅの場合、物品を出し入れする開口部７ｂ’が避難ステージ２より下方の部分、例えば階段の踊り場等に面してあり、その場所で物品の出し入れ作業をするが、そのことを除けば、鋼管柱７の内部に対して物品の出し入れをする要領は、図９を参照して説明した要領と概ね同様であり、再度の説明は省略する。
【実施例６】
【００４５】
図１８、図１９にさらに他の実施例を示す。この物品収納構造１０Ｆは、主として若干の飲料水や乾パン等の非常食等のほか、緊急時に必要となる工具類を収納するためのものであり、角形鋼管である鋼管柱７の内部に合わせたサイズの例えばステンレス鋼板製の四角形の物品収納容器８１に吊下げ部８２を取り付けた吊下げ部付き物品収納容器８０を用いる。
前記吊下げ部８２は、鋼線の水平線材８３の両端にそれぞれ、下端が物品収納容器８１の四角形の上端縁の２つの角部に溶接固定されて三角形状をなす同じく鋼線の傾斜線材８４を溶接固定し、水平線材８３の両端部に鋼管柱７の上端壁部に引っ掛けられる短いアングル８５を溶接固定してなる。
降雨により鋼管柱内に浸水しないように柱頭部を覆うカバー８７は、図１０、図１１で説明したカバー５７と概ね同じ構造である。同じ符号を付して説明すると、傾斜した天板８７ａを有し、四方の側面部８７ｂにおいてボルト２５で鋼管柱７に固定される。そして図１０、図１１と同様にロック機構２７（図示略）でロックされ、ボルト２５の頭部の貫通孔２５ａ（図示略）に通した回し棒２６（図示略）でボルト２５を回す。
【００４６】
前記の吊下げ部付き物品収納容器８０は、吊下げ部８２の水平線材８３を持って、鋼管柱７の頭部開口から挿入し、図１９に示すように水平線材８３の両端のアングル８５を、鋼管柱７の上端壁部に引っ掛けて、鋼管柱７内に吊り下げる。
カバー８７の側面部８７ｂは、図示のように鋼管柱７の上端壁部にアングル８５を引っ掛けた状態で被せられるように、鋼管柱７の外面との間に隙間を持つ。
８８は落下防止のために鋼管柱７内面に取り付けた溶接金網である。
【符号の説明】
【００４７】
１  避難タワー
２  避難ステージ（最上階床）
３  物品収納バッグ
４  手動ウインチ
５  最上階の梁
６  （下層の）梁
７  鋼管柱
７ａ  柱梁接合用角形鋼管
７ｂ、７ｂ’  開口部
８  鉄骨骨組み
１０（１０Ａ、１０Ｂ、１０Ｃ、１０Ｄ、１０Ｅ、１０Ｆ）  物品収納構造
１１  階段
１２  手摺
１３  フエンス
１４  柱の基礎
１５  床板材
１６  扉（開閉部材）
１７  カバー
１７ａ、５７ａ  天板
１７ｂ、５７ｂ  側面部
１８  索状体
２１  回転ドラム
２１ａ  鍔
２３  ウインチ台
２３ａ、５３ａ  受板
２３ｂ、５３ｂ  台板
２３ｃ  穴
２５  ボルト
２５ａ  貫通孔
２６  回し棒
２７  ロック機構
２８  ドラム軸
２９  フレーム
２９ａ  側枠部
２９ｂ  底板
２９ｃ  穴
３０  ドラムギヤ機構部
３１  ハンドル
３２  ハンドル取付部
３３  ハンドル装着部
４１  索状体巻取り機構
４２  回転ドラム
４３  ドラム軸
４５  ドラムギヤ
４６  ピニオン
４７  ピニオン軸
４８  軸受部
４９  ハンドル
５３、６３  収納部底板
５４  （模式的に示した）収納物
５７  カバー（開閉部材）
６４  収納部天板
６５、６５’  補強部材
６６、６６’  扉（開閉部材）
６７  ヒンジ
６８、６８’  庇
８０  吊り下げ部付き物品収納容器
８１  物品収納容器
８２  吊下げ部
８３  水平線材
８４  傾斜線材
８５  アングル
８７  カバー（開閉部材）
８８  溶接金網
【図１】
2013256772.tif 000003
【図２】
2013256772.tif 000004
【図３】
2013256772.tif 000005
【図４】
2013256772.tif 000006
【図５】
2013256772.tif 000007
【図６】
2013256772.tif 000008
【図７】
2013256772.tif 000009
【図８】
2013256772.tif 000010
【図９】
2013256772.tif 000011
【図１０】
2013256772.tif 000012
【図１１】
2013256772.tif 000013
【図１２】
2013256772.tif 000014
【図１３】
2013256772.tif 000015
【図１４】
2013256772.tif 000016
【図１５】
2013256772.tif 000017
【図１６】
2013256772.tif 000018
【図１７】
2013256772.tif 000019
【図１８】
2013256772.tif 000020
【図１９】
2013256772.tif 000021